(57)【要約】【課題】フライフィッシング用フライロッド又はフライフィッシング用フライリールに、使用者の足元に放置していた余剰のフライラインを一時的に係止する機能を持たせる。【解決手段】フライフィッシング用フライロッド１又はフライフィッシング用フライリール１３にフライライン係止具２乃至３を取り付け、余剰のフライライン１４を一時的に係止する。【選択図】図４
2009082122.tif 000002
【特許請求の範囲】
【請求項１】
フライフィッシング用フライロッド又はフライフィッシング用フライリールにおいて、フライロッド又はフライリールの外壁面上に、フライラインを係止するフライライン係止部材と取り付け部材から成るフライライン係止具を設けたことを特徴とするフライライン係止具付き釣具。
【請求項２】
前記フライライン係止具において、前記フライライン係止部材と前記取り付け部材が開閉支持軸を介して連結されることを特徴とする請求項１に記載のフライライン係止具付き釣具。
【発明の詳細な説明】
【技術分野】
【０００１】  本発明はフライフィッシングに使用されるフライロッド又はフライリールに関し、フライラインを係止する器具を設けたフライロッド又はフライリールに関する。
【背景技術】
【０００２】フライフィッシングはフライロッドに挿通されたフライラインの慣性を利用して、フライラインの先端に取り付けられたリーダー（先糸）およびフライ（毛鉤）を目標とする地点に投擲し、その後回収する動作を繰り返す釣法であり、フライフィッシング専用のフライライン、フライロッド、フライリールが用いられる。フライラインは全米釣具製造業者組合（ＡＭＥＲＩＣＡＮ  ＦＩＳＨＩＮＧ  ＴＡＣＫＬＥ  ＭＡＮＵＦＡＣＴＵＲＥＲ  ＡＳＳＯＣＩＡＴＩＯＮ）の規格に準拠した製品であり、フライフィッシングを目的とした釣り道具として使用され他の用途は無い。フライロッドはフライラインを使用する目的の釣竿であり、適合するフライライン規格が明示されている。フライロッドは竿体とフライラインを挿通する複数のガイドとリールシートを備えるグリップから成る。フライリールはフライラインを巻回収納する目的の釣用リールであり、適合するフライライン規格が明示されている。フライリールはフライロッドに備えられたリールシートに取り付けられて使用される。【０００３】フライフィッシングにおいて長時間釣りを休止する非使用時にはフライラインはフライリールに巻回収納していた。しかし、フライラインの投擲と回収の動作を連続して行う使用時においては、回収時に引き戻されたフライラインをフライリールに巻回収納せずに余剰分として弛緩した状態で扱われていた。従来はこの余剰のフライラインを纏めて一時的に係止する器具を備えたフライロッド及びフライリールは無かった。【０００４】特開平１１−３１８２９１があった。この発明の目的はフライリールにフライラインとリーダー（先糸）を全て巻回収納し使用を休止する際に、１ｍｍ〜３ｍｍ程度の直径を有するフライラインに、より細い０．１ｍｍ〜０．５ｍｍ程度の直径のリーダーが食い込むのを防ぐ為のものだった。構成はフライリールに細いリーダー専用の糸巻き部を付加し、糸巻き部にリーダーのみを巻回するものだった。しかし、直径が大きく違うフライラインが巻回又は係止されることは無い。また、フライラインとリーダーを全てフライリールに収納し使用を休止する際に使用されるものであり、フライラインの投擲と回収を繰り返している過程で使用されることは無い。
【発明の開示】
【発明が解決しようとする課題】
【０００５】上述の如く、フライフィッシングにおいてはフライラインの連続的な投擲、回収が繰り返されるが、回収時にフライリールへフライラインを巻回収納すると投擲毎に必要な長さのフライラインを再度手作業でフライリールから引き出さなければならない。この無駄を避ける為に、回収したフライラインは次回の投擲用としてフライリールに巻回せずに余剰分として弛緩した状態で使用者の手に纏められる、又は足元に放置される、といった処理がなされる。投擲と回収が連続的に行われる場合、余剰のフライラインの操作はフライロッドを持たない側の手で操作することができる。しかし、頻繁に行われるフライの交換や道具類の調整、魚の取り込み等の作業では両手が必要となり、この作業では投擲後に回収された余剰のフライラインは使用者の手から放たれ足元に無造作に放置されていた。このため、野外では足元の石や草などにフライラインが絡みフライラインが損傷する、又はフライラインに砂泥等が付着するという問題があった。また水面に落とし込んだ場合でもフライラインが水中に沈む、水流に流されるといった不便があった。【０００６】本発明は、以上の問題点を解決するために成されたものであり、その目的はフライロッド又はフライリールにフライラインを係止するフライライン係止具を設けることにより、回収した余剰のフライラインを足元に放置することなく、一時的にフライライン係止具に纏めて係止させることのできる安価で簡便なフライラインの係止具付き釣り具を提供することにある。
【課題を解決するための手段】
【０００７】上述の目的を達成するために本発明はフライフィッシング用フライロッド又はフライフィッシング用フライリールに弾性を有するクリップ状のフライライン係止部材と取り付け部材から成るフライライン係止具を設けたことを特徴とする。【０００８】前記フライライン係止具において、別個に形成された前記フライライン係止部材と前記取り付け部材が開閉支持軸を介して連結されることにより、前記フライライン係止部材は前記開閉支持軸を中心軸として前記取り付け部材に対する角度を自在に可変することにより、開口部を大きく取ることが出来、フライラインをフライライン係止部材に係止する際の出し入れ作業を容易なものとした。
【発明の効果】
【０００９】
【００１０】本発明によれば、フライラインの投擲と回収を繰り返すフライフィッシングにおいて、フライ交換や道具の調整、魚の取り込み等といった両手を使う動作を必要とする場合に、従来のように回収した余剰のフライラインを足元に放置することなく、フライロッド又はフライリールに取り付けられたフライライン係止具に回収した余剰のフライラインを纏めて係止することができる。このため余剰のフライラインが使用者の足元の石や草、木の枝などに絡むといった事態を回避することができ、フライラインの損傷や砂泥の付着による機能劣化を防止する等に有効である。
【発明を実施するための最良の形態】
【００１１】以下、本発明の実施の形態を図面を参照しつつ説明する。【００１２】図１から図５は本発明の第１の実施の形態に係り、図１で示したフライロッド１は先細り形状の竿体１１と竿体１１の長手方向に沿って複数取り付けられたガイド１５と竿体１１の基部に配置されたグリップ１２からなる。グリップ１２にはフライリール１３が取り付けられ、フライライン１４はフライリール１３に巻回収納され、使用時にはフライリール１３から引き出されガイド１５に挿通される。【００１３】フライリール１３から引き出されたフライライン１４は竿体１１に設けられたガイド１５に挿通され、竿体１１の長手方向には自在に移動可能であるが、通常の使用中にガイド１５からフライライン１４が離脱することはない。フライフィッシングにおいてはフライライン１４の先端にリーダーと呼ばれる先糸（図示せず）とリーダーの先にフライ（図示せず）が連結され、フライライン１４とリーダー、フライが一体的に投擲と回収が繰り返される。【００１４】フライフィッシングにおいてはフライロッド１を介してフライライン１４の投擲と回収が連続的に行なわれる際に、回収後のフライライン１４はフライリール１３と最もグリップ１２に近いガイド１５の間で回収した長さが弛緩した余剰分として発生する。【００１５】フライライン係止具２は弾性を有する耐蝕性の金属乃至合成樹脂等で形成され、クリップ形状のフライライン係止部材２０と取り付け部材２１を一体成形乃至夫々別個の部材を連結固定させて成る【００１６】フライライン係止具２は竿体１１の基部付近又はフライリール１３の外壁面上において固定部材２２により固定される。図２の平面図で示したようにフライライン係止具２の取り付け部材２１が竿体１１の基部付近に固定部材２２により固定される。又は、図３の側面図で示したようにフライライン係止具２の取り付け部材２１がフライリール１３に固定部材２２により固定される。固定部材２２には巻糸や接着剤、金属パイプ、螺子、溶接等が用いられる。【００１７】図２、図３で示したようにフライライン係止部材２０の先端部分２０ａと竿体１１又はフライリール１３の外壁面との位置関係は接触する、乃至はフライライン１４の径よりも小さい隙間を有する。フライライン係止部材２０の中間部２０ｂは竿体１１乃至フライリール１３の外壁面との間にフライライン１４の径と同程度乃至やや広い隙間を有する。フライライン係止部材２０の弾性は、フライライン１４の出し入れの為に先端部２０ａを竿体１１乃至フライリール１３の外壁面との隙間をフライライン１４の径よりも大きな隙間を形成可能な程度に人の手で弾性変形させ開くことができ、同時に係止されたフライラインの重量（通常は３グラムから２０グラム程度）では変形してフライライン１４が脱落しない弾性強度を有する。フライロッド１及びフライリール１３は適合するフライライン規格が明示されており、適合するフライライン１４の重量と直径に応じて最適なフライライン係止具２の弾性強度を選択することが出来る。【００１８】図４の斜視図に示したように回収されたフライライン１４の余剰部分は輪状にして纏められ、フライライン係止部材２０における先端２０ａと竿体１１乃至フライリール１３の外壁面との隙間を使用者によりフライライン１４の径よりも大きく弾性変形させ、この隙間に輪状に纏められたフライライン１４を挿通させることにより、フライライン係止部材２０にフライライン１４は係止される。係止後、フライライン係止部材２０を弾性変形から解放するとフライライン係止部材２０の先端２０ａと竿体１１乃至フライリール１３の外壁面との隙間はフライライン１４の径よりも小さな状態に戻るため、係止された状態のフライライン１４はフライライン係止部材２０から脱落することはない。係止されたフライライン１４を取り出す際にもフライライン係止部材２０の先端２０ａを弾性変形させ、竿体１１乃至フライリール１３と外壁面との隙間をフライライン１４の径よりも大きく開放することにより係止されていたフライライン１４を抜き出すことができる。このため竿体１１乃至フライリール１３に取り付けられたフライライン係止具２はフライライン１４を自在に脱着及び係止することが可能になる。フライラインは１ｍｍ〜３ｍｍ程度の直径を有する為、輪状にして纏められてもフライライン同士が複雑に絡み合う問題は無い。【００１９】図５〜図８は本発明の第２の実施の形態に係り、図５は竿体１１に取り付けられたフライライン係止具３の斜視図である。フライライン係止具３は別個に形成されたフライライン係止部材３０と取り付け部材３１が開閉支持軸３２を介して連結されて成る。フライライン係止部材３０は開閉支持軸３２を中心軸として取り付け部材３１に対し開閉自在となる。フライライン係止具３は竿体１１の基部付近乃至フライリール１３の外壁面上の前縁に固定部材２２により圧着固定される。【００２２】図６はフライライン係止具３の長手方向連結部の断面図を示し、フライライン係止部材３０と取り付け部材３１が厚さ方向で重なり接合する部分において、フライライン係止部材３０と取り付け部材３１の厚さ方向へ開閉支持軸３２を挿通させることにより、開閉支持軸３２を中心軸として取り付け部材３１に対してフライライン係止部材３０の角度を変化させることができる。【００２３】図７はフライライン係止具３の連結部の平面図を示し、フライライン係止部材３０と取り付け部材３１が幅方向で重なり接合する部分において、フライライン係止部材３０と取り付け部材３１の幅方向に開閉支持軸３２を挿通させることにより、開閉支持軸３２を中心軸として取り付け部材３１に対してフライライン係止部材３０の角度を変化させることができる。【００２４】図６、図７で示したようにフライライン係止部材３０と取り付け部材３１の接合部の任意の位置に互いに噛合う凹凸部３３を設け摩擦抵抗を発生させることにより、取り付け部材３１に対するフライライン係止部材３０の保持角度を任意に設定することができる。これにより、竿体１１又はフライリール１３に対するフライライン係止部材３０の開放角度を任意に設定できるため、フライライン係止部材３０へのフライライン１４の係止作業、抜き出し作業を容易に行うことができる。【００２５】フライライン１４を投擲する際にはフライリール１３を取り付けたフライロッド１を前後に振る動作が必要となるが、通常のフライロッド１を振る動作をしても凹凸部３３は可動式のフライライン係止部材３０が自重による慣性で角度を変化させること無く所定の位置を維持するために必要な摩擦抵抗を有している。【００２６】図８はフライライン係止具３の長手方向連結部の断面図を示し、フライライン係止部材３０と取り付け部材３１の連結部分に開閉支持軸３２と同じ中心を有するコイルバネ３４を付加し、コイルバネ３４の両端をそれぞれフライライン係止部材３０と取り付け部材３１に連結させることにより弾性付勢機構を構成する。これにより、フライライン係止部材３０には取り付け部材３１に対する角度変化に応じて定位置へ戻ろうとする弾性変形力を発生するため、定位置から角度変化させたフライライン係止部材３０を定位置に戻す作業がより容易になものとなる。コイルバネ３４は金属製が用いられるが、同様の弾性変形力を有する合成樹脂やゴム等の弾性部材を用いることも出来る。【００２７】以上、本発明の実施の形態を説明したが、本発明の範囲はこれに限定されるものではない。フライロッド１にフライライン係止具２又は３を取り付ける位置は、竿体１１の基部付近に限らずフライロッド１の形状、材質等の必要に応じてグリップ１２乃至ガイド１５が適宜選択される。フライリール１３へのフライライン係止具２又は３の取り付け位置は、フライリール外壁面上の前縁付近以外にも、フライリールの形状、材質、フライロッドへの取り付け位置等必要に応じて側面、後縁、下部の位置も適宜選択される。
【図面の簡単な説明】
【００２８】
【図１】本発明の第１の実施の形態に係るフライロッドとフライリールとフライラインの全体図である。
【図２】図１のフライロッドに取り付けられたフライライン係止具の平面図である。
【図３】図１のフライリールに取り付けられたフライライン係止具の側面図である。
【図４】図２のフライライン係止具にフライラインを係止した斜視図である。
【図５】本発明の第２の実施の形態に係るフライライン係止具の斜視図である。
【図６】本発明の第２の実施の形態に係るフライライン係止具の長手方向連結部の断面図である。
【図７】本発明の第２の実施の形態に係るフライライン係止具の連結部の平面図である。
【図８】本発明の第２の実施の形態に係るフライライン係止具の長手方向連結部の断面図である。
【符号の説明】
【００２９】１          フライロッド
２          フライライン係止具
１１        竿体
１２        グリップ
１３        フライリール
１４        フライライン
１５        ガイド
２０、３０  フライライン係止部材
２０ａ      フライライン係止部材の先端
２０ｂ      フライライン係止部材の中間部
２１、３１  取り付け部材
２２        固定部材
３２        開閉支持軸
３３        凹凸部
３４        コイルバネ
【図１】
2009082122.tif 000003
【図２】
2009082122.tif 000004
【図３】
2009082122.tif 000005
【図４】
2009082122.tif 000006
【図５】
2009082122.tif 000007
【図６】
2009082122.tif 000008
【図７】
2009082122.tif 000009
【図８】
2009082122.tif 000010